(57)【特許請求の範囲】
【請求項１】
本体の上面に配置し被加熱物を載置するトッププレートと、前記トッププレートの周囲を覆うように設けられた枠と、前記本体からの熱を排気するために前記枠に設けられた排気出口と、この排気出口を覆う排気カバーとを有し、前記本体をキッチンのカウンタートップに設けられた取り付け穴の上面から落し込まれて設置された誘導加熱調理器において、
前記本体の左右側壁から前記排気出口と連通する排気口の内部の一部に張り出すように形成された箱状の支持部材と、この支持部材の内側に位置するように設けられた固定金具と、この固定金具を回転可能に支持するネジとを備え、前記固定金具で前記本体を前記取り付け穴に固定するとともに、
前記ネジのネジ頭は前記排気カバーを外すことで目視できる位置に設けられていることを特徴とする誘導加熱調理器。
【請求項２】
請求項１記載の誘導加熱調理器において、
前記箱状の支持部材は対面する上面に貫通穴上と下面に貫通穴下有することを特徴とする誘導加熱調理器。
【請求項３】
請求項１記載の誘導加熱調理器において、
前記固定金具は略Ｌ字形状で一面の平坦部には雌ネジ部と、前記平坦部の外側を上へ立ち上げた垂直部を有することを特徴とする誘導加熱調理器。
【請求項４】
請求項１記載の誘導加熱調理器において、
前記ネジ頭は前記排気出口からドライバーを挿入して回転可能な所に位置していることを特徴とする誘導加熱調理器。
【発明の詳細な説明】
【技術分野】
【０００１】
本発明は、キッチンに組み込んで使用する誘導加熱調理器に関する。
【背景技術】
【０００２】
従来、この種の誘導加熱調理器は、本体の上面にトッププレートを設け、このトッププレートの上面に配置された加熱調理の制御命令を入力する操作部と、その操作部に近接して配置する表示部と、トッププレートの下方の本体内に複数個の加熱コイルを備えている。そして、その複数個の加熱コイルを駆動するインバータ部と、駆動を制御する制御部と、加熱コイルと本体内部を冷却するための冷却ファンを備えたものが一般的な構造として知られている。
【０００３】
このような誘導加熱調理器は、本体をキッチンのカウンタートップの取り付け穴に落とし込み、本体が取り付け穴の中で前後左右に異動しないように、本体とカウンタートップを金具で固定して設置する構造となっている。
【０００４】
この種誘導加熱調理器の従来技術としては、例えば特許文献１がある。
【０００５】
この特許文献１では、図８と図９に示されているように、本体の上面後部において、吸気口寄りの排気口の隣に操作用穴を設け、その下方の本体側壁の取付け部に本体をキッチン５１に固定するための固定金具５６を予め固定ネジ５７で仮止めしている。そして、本体５０をキッチン５１に埋め込んだ後、操作用穴５４からドライバー５８を差し込んで固定金具５４の一端を矢印のように回転させてキャビネット５１の天板下面に当接させ（点線）、固定ネジ５７をドライバー５８で取付け部５５ａに締め付けることにより本体５０をキッチン５１に動かないように固定するようになっている。
【先行技術文献】
【特許文献】
【０００６】
【特許文献１】特開２０１０−４０４０１号公報
【発明の概要】
【発明が解決しようとする課題】
【０００７】
上記特許文献１の技術においては、固定金具はてこの要領の如く、Ｌ字状に形成した取付け部の先端を支点、固定ネジで締め付ける場所を力点、キャビネットに当接する場所を作用点として、誘導加熱調理器をキャビネットに固定している。
【０００８】
そのため、力点と支点との間にはある程度の距離が無いと固定ネジを締め付けられないため、小型化に出来ないという課題がある。
【０００９】
本発明の目的は、固定金具を小型化することができるばかりでなく、誘導加熱調理器をキッチンのカウンタートップに容易に固定することが可能な誘導加熱調理を提供することにある。
【課題を解決するための手段】
【００１０】
上記目的は、本体の上面に配置し被加熱物を載置するトッププレートと、前記トッププレートの周囲を覆うように設けられた枠と、前記本体からの熱を排気するために前記枠に設けられた排気出口と、この排気出口を覆う排気カバーとを有し、前記本体をキッチンのカウンタートップに設けられた取り付け穴の上面から落し込まれて設置された誘導加熱調理器において、前記本体の左右側壁から前記排気出口と連通する排気口の内部の一部に張り出すように形成された箱状の支持部材と、この支持部材の内側に位置するように設けられた固定金具と、この固定金具を回転可能に支持するネジとを備え、前記固定金具で前記本体を前記取り付け穴に固定するとともに、前記ネジのネジ頭は前記排気カバーを外すことで目視できる位置に設けられていることにより達成される。
【００１１】
また上記目的は、前記箱状の支持部材は対面する上面に貫通穴上と下面に貫通穴下有することが好ましい。
【００１２】
また上記目的は、前記固定金具は略Ｌ字形状で一面の平坦部には雌ネジ部と、前記平坦部の外側を上へ立ち上げた垂直部を有することが好ましい。
【００１３】
また上記目的は、前記ネジ頭は前記排気出口からドライバーを挿入して回転可能な所に位置していることが好ましい。
【発明の効果】
【００１４】
本発明によれば、固定金具を小型化することができるばかりでなく、誘導加熱調理器をキッチンのカウンタートップに容易に固定することが可能な誘導加熱調理を提供できる。
【図面の簡単な説明】
【００１５】
【図１】本発明の実施例に係る誘導加熱調理器を組込んだキッチンの外観斜視図である。
【図２】本発明の実施例に係る誘導加熱調理器の斜視図である。
【図３】本発明の実施例に係る誘導加熱調理器のトッププレート組を外した本体内部の構造図である。
【図４】本発明の実施例に係る誘導加熱調理器の加熱コイルを外した本体内部の構造図である。
【図５】本発明の実施例に係る誘導加熱調理器をキッチンに組込んで下から仰ぎから見た状態の斜視図である。
【図６】本発明の実施例に係る固定金具の斜視図である。
【図７】本発明の実施例に係る誘導加熱調理器を右側に仕切り壁があるキッチンに組込んだ状態の正面図である。
【図８】本発明の実施例に係る誘導加熱調理器を左側に仕切り壁があるキッチンに組込んだ状態の正面図である。
【図９】本発明の実施例に係る誘導加熱調理器の右側に仕切り壁があるキッチンに組込んだ状態の左側面図である。
【図１０】本発明の実施例に係る誘導加熱調理器の本体後面に備える固定金具の要部拡大断面図である。
【図１１】本発明の実施例に係る誘導加熱調理器の固定金具を収納した下から仰ぎから見た状態の斜視図である。
【図１２】本発明の実施例に係る誘導加熱調理器の固定金具を出して下から仰ぎから見た状態の斜視図である。
【発明を実施するための形態】
【００１６】
以下、本発明の一実施例を上記した図１から図１２に従って説明する。
【００１７】
本実施例は、システムキッチンに嵌め込むビルトイン型について説明する。
【実施例１】
【００１８】
図１は本発明の実施例に係る誘導加熱調理器を組込んだキッチンの外観斜視図である。  
図２は本発明の実施例に係る誘導加熱調理器の斜視図である。
【００１９】
図１，図２において、１はキッチンで、カウンタートップ１ａの下部に箱型の収納部１ｂを設け、扉１ｃとその上部の側板１ｅで前面を覆っている。カウンタートップ１ａに設けた取り付け穴１ｄの上面から本体７を落とし込んで本体のフランジ部７ａ（図３に示す）で支える。取り付け穴１ｄの左側には仕切り板１ｈが接近して存在する。
【００２０】
本体７の左側側面である左側面７ｊの本体奥行きの略中央に固定穴６０Ｌが備えられ、本体７の右側側面である右側面７ｋ（図３に示す）にも本体奥行きの略中央に固定穴６０Ｌと同一の固定穴６０Ｒが備えられている。この固定穴６０Ｌ、６０Ｒは、横固定金具６１(図６に示す)を装着して本体７を固定する穴である。また、本体７の奥側側面である後面７ｐの本体幅の略中央に設けた固定穴７０に回動して収納する固定金具７１が備えられている。カウンタートップ１ａへの固定については後述する。
【００２１】
本体７は、カウンタートップ１ａに設けた取り付け穴１ｄの上部から落とし込み易いように、本体７の底面７ｇ（図５に示す）が取り付け穴１ｄより面積が小さくなるように、本体７の前側側面である前面側面７ｆ（図５に示す）は本体内側に傾斜している。
【００２２】
誘導加熱調理器の本体７の上面にはトッププレート２が水平に配置されている。このトッププレート２は、耐熱性の高い結晶化ガラス製の厚さ約４mmのもので構成され、鉄等の磁性体又はアルミ等の非磁性体よりなる鍋等の調理容器を載置する。
【００２３】
トッププレート２は、鍋を載置する位置を円で示す前側鍋載置部５，奥側鍋載置部６を設けている。前側鍋載置部５，奥側鍋載置部６に対応するようにトッププレート２の下方で本体７内の上部に、環状に形成された前側加熱コイル８，奥側加熱コイル９（図３に示す）が夫々本体７の左前と右後で対角に配置されており、トッププレート２に載置された鍋等を誘導加熱する。
【００２４】
トッププレート２の周囲は枠２ａで覆われ、この枠２ａの前部には操作表示部４を、後部には排気出口２ｂ（図１０に示す）を備え、排気出口２ｂを覆い着脱自在の排気カバー３を備えている。これら２、２ａ、３、４によりトッププレート組１９が構成されている。
【００２５】
操作表示部４は、前側加熱コイル８、奥側加熱コイル９に対応した前側操作部２０、奥側操作部２１と、前側表示部２２，奥側表示部２３とが設けられている。前側加熱コイル８，奥側加熱コイル９の通電状態の設定や操作を行い、通電状態等を表示する。
【００２６】
図３は本発明の実施例に係る誘導加熱調理器のトッププレート組を外した本体内部の構造図である。  
図４は本発明の実施例に係る誘導加熱調理器の加熱コイルを外した本体内部の構造図である。
【００２７】
図３，４において、インバータ部１１は、前側加熱コイル８の下方に配置されてこの前側加熱コイル８と奥側加熱コイル９に高周波電力を供給する。制御部１０は、一体となった電源部３０と共に奥側加熱コイル９の下部に配置され、前側操作部２０（図２に示す）や奥側操作部２１（図２に示す）からの入力に基づきインバータ部１１を制御し、前側加熱コイル８や奥側加熱コイル９へ供給する電力を制御する。また、加熱時は前側加熱コイル８や奥側過熱コイル９に備える温度センサ２５からの情報に基づきインバータ部１１を制御して前記同様に前側加熱コイル８や奥側加熱コイル９へ供給する電力を制御する。
【００２８】
本体７の前側中央部には、インバータ部１１を冷却するために、本体７の底面７ｇ（図５に示す）に有した吸気口１６ａ（図５に示す）より外気を吸気し、本体７の後向きに送風するためのメインファン１６が設けられている。このメインファン１６によってダクト１１ａで誘導された冷却風とヒートシンク１１ｂによってインバータ部１１の搭載された部品は効率よく冷却される。
【００２９】
また、前側加熱コイル８の下部には本体７の底面７ｇに有した吸気口１７ａ（図５に示す）より外気を吸気し、前側加熱コイル８を専用に冷却する前側ファン１７が設けられている。さらに、奥側加熱コイル９の下部には本体７の底面７ｇに有した吸気口１８ａ（図５に示す）より外気を吸気して、奥側加熱コイル９を専用に冷却する奥側ファン１8が設けられている。
【００３０】
本体７の後部には、メインファン１６、前側ファン１７，奥側ファン１８より流れる冷却風が、本体７外へ排出される排気口２４が設けられている。この排気口２４より出た冷却風は、排気口２４と連通している排気出口２ｂを通り、その上を覆う排気カバー３から上方に向けて排気される。
【００３１】
また、後面７ｐ（図９に示す）に設けた固定穴７０（図１０に示す）の内側に、固定穴７０側の側面が開口し、排気口２４の内部の一部に張り出した箱状の支持部材７３（図１０に示す）を設けている。この支持部材７３の上部の平面部上７３ａと、平面部上７３ａに通る右ネジ７２（図１０に示す）のネジ頭７２ａは、排気口２４の中に位置する。そのため、排気口２４は排気出口２ｂと連通しているので、排気出口２ｂを覆う排気カバー３を外すことで、排気出口２ｂを通して排気口２４の中で、排気出口２ｂからドライバーを挿入してネジ頭７２ａに到達させて右ネジ７２を回すことを可能にしている。
【００３２】
図５は本発明の実施例に係る誘導加熱調理器をキッチンに組込んで下から仰ぎから見た状態の斜視図である。  
図６は本発明の実施例に係る固定金具の斜視図である。
【００３３】
図５，図６において、図５は、本体左側面７ｊの固定穴６０Ｌに横固定金具６１を装着してカウンタートップ１ａに固定した状態を示している。横固定金具６１の金具６２は図６に示すように固定穴６０Ｌと固定穴６０Ｒのいずれにもフランジ６２ｂで係止でき、金具６２のネジ穴６２ａにネジ６３を締めることによりよって、ネジ６３の先端６３ａがカウンタートップ１ａの下面に当たって固定されるものである。
【００３４】
図７は本発明の実施例に係る誘導加熱調理器を右側に仕切り壁があるキッチンに組込んだ状態の正面図である。  
図８は本発明の実施例に係る誘導加熱調理器を左側に仕切り壁があるキッチンに組込んだ状態の正面図である。
【００３５】
図７，８はカウンタートップ１ａの取り付け穴１ｄに本体７を落とし込んでカウンタートップ１ａに固定する状態を正面から扉1ｃを透過して見ている図であり、図７は取り付け穴１ｄの右側に仕切り板１ｆが接近して在る場合を示し、図８は、取り付け穴１ｄの左側に仕切り板１ｈが接近して在る場合を示している。
【００３６】
まず図７において、１ｇは収納部1ｂの奥板で、左側の仕切り壁１ｈと右側の仕切り壁１ｆと接している。本体7の右側には、仕切り壁１ｆが接近するため、図３，図４に示した本体右側面７ｋの固定穴６０Ｒに、横固定金具６１を装着することはできない。そのため、本体左側面７ｊの固定穴６０Ｌに横固定金具６１を装着してカウンタートップ１ａに固定するようになっている。
【００３７】
次に図８において、本体７の左側には、仕切り壁１ｈが接近するため、本体左側面７ｊの固定穴６０Ｌに、横固定金具６１を装着することはできない。そのため、本体右側面７ｋの固定穴６０Ｒに横固定金具６１を装着してカウンタートップ１ａに固定するようになっている。
【００３８】
したがって、本体左右側面７ｊ，７ｋのいずれかにキッチンの仕切り壁１ｈ，１ｆが近接してもいずれかの固定穴６０Ｌ、６０Ｒに横固定金具６１を装着して、カウンタートップ1ａへ固定できる。
【００３９】
図９は本発明の実施例に係る誘導加熱調理器の右側に仕切り壁があるキッチンに組込んだ状態の左側面図である。  
図９において、本図はカウンタートップ1ａに本体７を固定した状態を左から見たものであり、本体側面７ｊの固定穴６０Ｌに装着する横固定金具６１と、本体後面７ｐから後方に出る固定金具７１を示している。固定穴６０Ｌ、６０Ｒは、本体奥行きの略中央の奥行き略２５ｃｍの位置にあるので、収納部１ｂに手指の先から肘まで入れただけの、楽な姿勢で容易にネジを回転して固定できる。
【００４０】
尚、本体左右側面７ｊ，７ｋのいずれにも仕切り壁１ｈ，１ｆが接近しない場合は、図４示す本体７内の構成部品のうち、振動源や音源となるインバータ部１１やメインファン１６が本体７の左側に配置しているため、横固定金具６１は本体左側面７ｊの固定穴６０Ｌへ装着してカウンタートップ１ａと固定する。
【００４１】
図１０は本発明の実施例に係る誘導加熱調理器の本体後面に備える固定金具の要部拡大断面図である。  
図１１は本発明の実施例に係る誘導加熱調理器の固定金具を収納した下から仰ぎから見た状態の斜視図である。  
図１２は本発明の実施例に係る誘導加熱調理器の固定金具を出して下から仰ぎから見た状態の斜視図である。
【００４２】
図１０〜図１２において、図１０は本体後面７ｐに備える固定金具７１を説明するものであり、図１１は、固定金具７１を本体７に収納した状態（製品出荷時の状態）、図１２は固定金具７１でカウンタートップ１ａに固定するために、固定金具７１を突出させた状態を示すものである。
【００４３】
本体側面の後面７ｐには固定穴７０（図２に示す）が備えられている。この固定穴７０の内側に、固定孔７０側の側面が開口し、排気口２４の内部の一部に張り出した箱状の支持部材７３が設けられている。
【００４４】
略箱状で対面する上下二つの面は上面側を平面部上７３ａ、下面側を平坦部下７３ｂと定め、平面部上７３ａには楕円形状の貫通穴上７４と平坦部下７３ｂには貫通穴下７５を有した支持部材７３を備えている。前記貫通穴上７４と貫通穴下７５の穴径は後述する右ネジ７２が容易に挿入できる大きさにしてある。
【００４５】
固定金具７１は、略Ｌ字形状で平坦部７１ａには右ネジ７２を通す雌ネジ部７１ｂと、その平坦部７１ａの外側を上へ立ち上げた垂直部７１ｃで構成され、厚さは右ネジ７２のネジ部２山分相当の板材を使用し固定を確実にできるようにしている。
【００４６】
そして、固定金具７１は、支持部材７３の平面部上７３ａと平坦部下７３ｂの間に位置するように、貫通穴上７４から挿入した右ネジ７２を固定金具７１の雌ネジ部７１ｂにネジ込み、固定金具７１を貫通した右ネジ７２を貫通穴下７５から貫通する。
【００４７】
右ネジ７２は、ネジ頭７２ａによって支持部材７３の平面部上７３ａで係止し、右ネジ７２の下端部は平坦部下７３ｂの外側からスプリングワッシャー７６によって係止することで支持部材７３から脱落しないようになっている。
【００４８】
また、右ネジ７２のネジ頭７２ａはトッププレート２の枠２ａの排気カバー３を外す事で、排気出口２ｂを通して排気口２４の中で目視できる位置に設けられているので、ドライバーを挿入してネジ頭７２ａに到達させて右ネジ７２を回すことができる。
【００４９】
固定穴７０に収納されている固定金具７１は、製品出荷時は、固定穴７０の最下位置（図１１に示す）に収納されており、右ネジ７２を締める方向（上から見て時計方向）に回転させることにより、収納されていた固定金具７１が上から見て時計方向に回転して出て突出する（図１２に示した状態）。更に右ネジ７２を締める方向に回すと、固定金具７１は固定穴７０の側面７０ａに当たって固定金具７１の回転が止まり、更にネジ７２を締める方向に回すことにより、固定金具７１が右ネジ７２の回転に連れて雌ネジ７１ｂによって上昇する。
【００５０】
それにより、固定金具７１の垂直部７１ｃがカウンタートップ１ａの下面に押し当てるまで上昇させることで本体７をキッチン１のカウンタートップ１ａに確実に固定することができる。
【００５１】
右ネジ７２を締める方向（上から見て時計方向）に回しても、右ネジ７２の回転に連れて雌ネジ７１ｂによって固定金具７１が上昇するだけで固定金具７１が収納状態から出てこない場合がある。
【００５２】
例えば、キッチン１のカウンタートップ１ａが調理等に支障の無い範囲で微小に傾き、本体７の前側が後ろ側に対して低くなるような場合である。これは、固定金具７１の雌ネジ部７１ｂと右ネジ７２との摩擦力より、固定金具７１の重量ベクトルが右ネジの回転方向に対して反対方向に働く大きさが大きくなった時に生じる。
【００５３】
そのような時は、右ネジ７２を楕円形状に開けた貫通穴上７４内を移動させて右ネジ７２を垂直にすることで、固定金具７１の重量ベクトルが右ネジの回転方向に対して反対方向に働かなくなり、固定金具７１の雌ネジ部７１ｂと右ネジ７２との摩擦力によって、固定金具７１は右ネジ７２の回転に伴って収納状態から出て突出することが可能となる。
【００５４】
また別の方法として、右ネジ７２を、戻り止め機能が付いたネジや、シール剤など粘着性のある緩み止めが塗布されたネジとすることで、固定金具７１の雌ネジ部７１ｂと右ネジ７２との摩擦力を高めて、固定金具７１は右ネジ７２の回転に伴って収納状態から出て突出することが可能となる。
【００５５】
このように、本実施例によれば、固定金具７１を小型化することができる。また、誘導加熱調理器をキッチンのカウンタートップに容易に固定することができる。
【００５６】
以上のごとく本発明は、固定金具を小型化することができるばかりでなく、誘導加熱調理器をキッチンのカウンタートップに容易に固定することが可能な誘導加熱調理を提供できるものである。
【符号の説明】
【００５７】
１ａ・・・カウンタートップ、２・・・トッププレート、２ａ・・・枠、２ｂ・・・排気出口、３・・・排気カバー、４・・・操作表示部、７・・・本体、７ｆ・・・前面側面、７ｇ・・・底面、７ｊ・・・左側面、７ｋ・・・右側面、７ｐ・・・後面、８・・・前側加熱コイル、９・・・奥側加熱コイル、１０・・・制御部、１１・・・インバータ部、１６ファン、２４・・・排気口、６０Ｌ・・・固定穴、６０Ｒ・・・固定穴、６１・・・横固定金具、６３・・・ネジ、７０・・・固定穴、７１・・・固定金具、７１ａ・・・平坦部、７１ｂ・・・雌ネジ部、７１ｃ・・・垂直部、７２・・・右ネジ、７２ａ・・・ネジ頭、７３・・・支持部材、７３ａ・・・平面部上７３ａ、７４・・・貫通穴上、７５・・・貫通穴下。
【図１】
0005490747.tif 000002
【図２】
0005490747.tif 000003
【図３】
0005490747.tif 000004
【図４】
0005490747.tif 000005
【図５】
0005490747.tif 000006
【図６】
0005490747.tif 000007
【図７】
0005490747.tif 000008
【図８】
0005490747.tif 000009
【図９】
0005490747.tif 000010
【図１０】
0005490747.tif 000011
【図１１】
0005490747.tif 000012
【図１２】
0005490747.tif 000013